(57)【要約】【課題】患者の体内患部の環境にスコープが直接触れず、滅菌処理が不要であり、患部の情報収集に充分な光量を有し、挿入操作が円滑に行えるパイプ内視鏡を実現する。【解決手段】パイプ内視鏡１００は、基端側が開放され、先端側が密閉された有底筒体状の透明な観察容器１０と、観察容器１０内に挿入され、先端部に対物レンズ２１を有するスコープ２０と、スコープ２０に接続され、スコープ２０で収集した情報を処理して映像を表示する画像処理装置３０と、を有する。観察容器１０は、密閉された投光性を有する底部１１よりも先端側に突き出し、先端が曲率加工Ｒされた突出部１２を備えるとともに、底部１１の周囲へ光を照射するための光源２６を着脱可能に備える。【選択図】図１
2014012043.tif 000002
【特許請求の範囲】
【請求項１】
基端側が開放され、先端側が密閉された有底筒体状の透明な観察容器と、
前記観察容器内に挿入され、先端部に対物レンズを有するスコープと、
前記スコープに接続され、該スコープで収集した情報を処理して映像を表示する画像処理装置と、
を有し、
前記観察容器は、密閉された投光性を有する底部よりも先端側に突き出し、先端が曲率加工された突出部を備えるとともに、前記底部の周囲へ光を照射するための光源を着脱可能に備えていることを特徴とするパイプ内視鏡。
【請求項２】
前記観察容器の基部の外壁には、該観察容器のすべてが患者の体内へ侵入するのを防止するためのストッパ機能を有する拡径部が形成されていることを特徴とする請求項１に記載のパイプ内視鏡。
【請求項３】
前記拡径部の内径部には、前記スコープの先端部を案内するためのガイド部の機能を有する前記観察容器の基端側へ向けて順次拡径した傾斜部が形成されていることを特徴とする請求項１または請求項２に記載のパイプ内視鏡。
【請求項４】
前記観察容器の突出部には、該観察容器の底部へ向けて上向きに傾斜した反射部が設けられていることを特徴とする請求項１から３のいずれか１項に記載のパイプ内視鏡。
【請求項５】
前記スコープの誘導コードの先端側の周囲には挿入傾斜部を有するパンキンが装着され、該パンキンは前記拡径部の内径部に挿入固定されることを特徴とする請求項１から４のいずれか１項に記載のパイプ内視鏡。
【請求項６】
前記観察容器を挿入する窄孔を形成するための窄孔メスを備え、
前記窄孔メスは、尖った窄孔部と、持ち手となる把持部と、前記窄孔部と前記把持部の間の胴部と、を有し、
前記胴部に窄孔深さを表示する目盛りが付されていることを特徴とする請求項１から５のいずれか１項に記載のパイプ内視鏡。
【発明の詳細な説明】
【技術分野】
【０００１】
本発明は、患者の体内患部を映像により目視検査するためのパイプ内視鏡に関する。
【背景技術】
【０００２】
内視鏡は、光学系を備えた内視鏡の挿入部を患者の体内へ挿入することによって、患部を映像により目視観察するための医療機器である。
【０００３】
内視鏡検査の際、内視鏡の挿入部は患者の体内環境に直接曝される。したがって、院内感染を防止するためには、患者の体内患部を内視鏡で直接観察した後、必ず装置全体を無菌状態に滅菌処理しなければならない。内視鏡の滅菌処理には、処理時間および処理費用が掛かる。特に、大型カメラを備えた内視鏡を用いる場合は、滅菌設備も大型にする必要があり、当該滅菌設備の維持費が嵩んでいた。
【０００４】
そこで近年、内視鏡の挿入部が患者の体壁に直接触れないようにする技術が種々提案されている。内視鏡の汚染を防止する技術として、内視鏡の挿入部を外部から遮蔽するように、挿入部に着脱自在に被覆される筒状カバーを有する内視鏡の汚染防止装置が開示されている（たとえば、特許文献１参照）。
【０００５】
特許文献１によれば、筒状カバーが、基端開口以外の部分が塞がれた弾力性のある材料からなる筒状体であって、内径の大きさが挿入部の外径の大きさより大きく形成されている。また、挿入部が差し込まれた状態の筒状カバーを基端側へ引き伸ばして縮径させることにより、挿入部の表面全体に密着させた状態にして内視鏡に固定する解除自在なカバー固定手段が設けられている。
【先行技術文献】
【特許文献】
【０００６】
【特許文献１】特開２００３−１２６０１１号公報
【発明の概要】
【発明が解決しようとする課題】
【０００７】
従来の内視鏡は食道及び気道から挿入し、患部を観察、処置していたが、この観察は体表から直接患部に挿入する装置である。
【０００８】
ところで、特許文献１の内視鏡の汚染防止装置は、基端開口以外の部分が塞がれた弾力性のある筒状カバーで内視鏡の挿入部を覆っている。内視鏡の挿入部を筒状カバーで覆うので、患者の体内患部を観察するのに充分な光量が得られない場合がある。
【０００９】
また、筒状カバーの先端は塞がれた平面であるので、筒状カバーの先端が体液等で汚染されると、内視鏡の視界が遮られる虞がある。さらに、筒状カバーの先端平面が内臓等と干渉して、患者の体内への内視鏡の円滑な挿入が妨げられる虞がある。
【００１０】
特許文献１の筒状カバーには、解除可能な固定手段として手動ネジが設けられている。筒状カバーは使い捨てを前提としていないため、内視鏡の滅菌処理は不要であっても、筒状カバーの滅菌処理は必要となる。
【００１１】
本発明は、上記の事情に鑑みて創案されたものであり、患者の体内患部の環境にスコープが直接触れることがなく、滅菌処理が不要であり、患部の情報収集に充分な光量を有し、挿入操作を円滑に行うことができるパイプ内視鏡の提供を目的とする。
【課題を解決するための手段】
【００１２】
上記目的を達成するためのパイプ内視鏡は、観察容器と、イメージファイバースコープやレンズで構成されたスコープと、カメラなどの画像処理装置とを有する。
【００１３】
観察容器は、基端側が開放され、先端側が密閉された有底筒体状の透明な容器である。
【００１４】
スコープは、上記観察容器内に挿入され、先端部に対物レンズを有する。
【００１５】
画像処理装置は、上記イメージファイバースコープやレンズで構成されたスコープに接続され、収集した情報を処理して映像を表示する。
【００１６】
上記観察容器は、密閉された投光性を有する底部よりも先端側に突き出し、先端が曲率加工された突出部を備えるとともに、上記底部の周囲へ光を照射するための光源を着脱可能に備えている。
【発明の効果】
【００１７】
本発明に係るパイプ内視鏡によれば、底部が密閉された透明な観察容器内に、先端部に対物レンズを有するイメージファイバースコープやレンズで構成されたスコープにカメラなど画像処理装置が装着される。すなわち、観察容器を介して、スコープが患者の体内患部へと体表から直接導入される。
【００１８】
その際、光源の光が観察容器の底部から照射されるので、スコープは、患者の体内患部で充分な光量を得て情報収集する。
【００１９】
観察容器に着脱可能に光源を備えているので、光源を取り外せば、観察容器は使い捨て可能となる。
【００２０】
したがって、観察容器を使い捨てとすることにより、スコープが患者の体内患部の環境に直接触れることがなく、滅菌処理が不要なパイプ内視鏡を実現することができる。
【００２１】
また、観察容器の底部よりも先端側には突出部が設けられているので、底部が体内環境によって汚染されず、良好な透光性を維持することができる。さらに、突出部の先端には曲率加工Ｒが施されているので、患者の体内への挿入操作を円滑に行うことができ、かつ患者の臓器等を傷つけることがない。
【図面の簡単な説明】
【００２２】
【図１】本実施形態に係るパイプ内視鏡の概略構成図である。
【図２】本実施形態における直視用観察容器の断面図および斜視図である。
【図３】本実施形態における側視用観察容器の断面図および斜視図である。
【図４】本実施形態における光源および光源支持部材の概略構成図である。
【図５】本実施形態における装着パッキングの概略斜視図である。
【図６】本実施形態におけるコープおよび画像処理装置の概略斜視図である。
【図７】本実施形態における窄孔メスの概略斜視図である。
【図８】本実施形態に係るパイプ内視鏡において、直視用観察容器の使用例の概略図である。
【図９】本実施形態に係るパイプ内視鏡において、側視用観察容器の使用例の概略図である。
【発明を実施するための形態】
【００２３】
以下、図面を参照して、本実施形態に係るパイプ内視鏡を説明する。
【００２４】
本実施形態に係るパイプ内視鏡は、基端側が開放され、先端側が密閉された有底筒体状の透明な観察容器を介して、先端部に対物レンズを有するスコープが患者の体内患部へと導入される。したがって、観察容器を使い捨てとすれば、患者の体内患部の環境にスコープや画像撮影装置が直接触れることがなく、滅菌処理が不要なパイプ内視鏡が提供できるようになる。
【００２５】
［パイプ内視鏡の構成］
まず図１から図６を参照して、本実施形態のパイプ内視鏡の構成について説明する。
【００２６】
図１は本実施形態に係るパイプ内視鏡の概略構成図である。図２は本実施形態における直視用観察容器の断面図および斜視図である。図３は本実施形態における側視用観察容器の断面図および斜視図である。
【００２７】
図１に示すように、本実施形態に係るパイプ内視鏡１００は、観察容器１０、スコープ２０および画像処理装置３０を有する。
【００２８】
図１から図３に示すように、観察容器１０は、基端側が開放され、先端側が密閉された有底筒体状の容器からなる。観察容器１０は、当該観察容器１０の先端部の近傍に底部１１を有する。観察容器１０の内には、先端部に対物レンズ２１を有するスコープ２０が挿入装着される。したがって観察容器１０は、底部１１を透して外部が視認可能な透明な材質により形成される。
【００２９】
観察容器１０は、患者の体内患部組織の環境に直接曝されるため、観察容器内部は体液等の体内環境によって浸染されず、かつ人体に無害な材質により形成される。本実施形態の観察容器１０は、たとえば、無色透明な合成樹脂などで形成される。なお、観察容器１０の筒体部１７の長さや外径は、内視鏡の使用用途に応じて適宜設定される。観察容器１０は、柔軟性を有する合成樹脂で形成することにより、筒体部１７に可撓性をもたせることができる。
【００３０】
観察容器１０の底部１１は平面で形成される。観察容器１０の底部１１は、たとえば、当該観察容器１０の他の部位よりも薄肉に形成するなどして、優れた透光性を有することが好ましい。
【００３１】
観察容器１０の先端側、すなわち底部１１側は、患者の体内患部へと挿入される。したがって、観察容器１０の底部１１が体内環境によって汚染されないように、当該底部１１よりも先端側には短管状の突出部１２が設けられている。突出部１２の先端には、患者の体内へと挿入しやすく、かつ患者の臓器等を傷つけないように、曲率加工Ｒが施されている。
【００３２】
観察容器１０内には、スコープ２０が挿入される。したがって、観察容器１０の内径ｄは、スコープ２０の外径Ｆよりも大きく設定されている。観察容器１０の内壁とスコープ２０の外壁との間には隙間が形成されている。
【００３３】
観察容器１０の基部には、拡径部１３が形成されている。観察容器１０の拡径部１３は、たとえば、断面が矢羽根形状に形成され、肉厚が基端部へ向けて徐々に増大して厚肉部となっている。観察容器１０の拡径部１３の上面形状は、たとえば、長円形状、楕円形状、円形状などに形成される。
【００３４】
拡径部１３の外壁は、観察容器１０のすべてが患者の体内へ侵入するのを防止するためのストッパ部として機能するとともに、観察容器１０を操作する把持部としての機能を有する。拡径部１３の内壁は基端部へ向けて徐々に拡径され、スコープ２０の先端を観察容器１０内へ案内するためのガイド部としての機能を有する。
【００３５】
拡径部１３の上面には、光源２６を収容するための光源収容部１４が開口されている。光源収容部１４は、円柱状の空間部として形成される。図２（ｂ）および図３（ｂ）のように、本実施形態の観察容器１０の拡径部１３の上面は長円形状であるので、光源収容部１４が長手方向の２箇所に振分けて形成されている。拡径部１３の上面が円形状の場合は、たとえば、光源収容部１４を４箇所に振分けて形成してもよく、光源収容部１４の数は限定されない。
【００３６】
光源収容部１４内には、観察容器１０の底部１１の周囲から光を照射するための光源２６が着脱可能に収容されている。光源２６としては、たとえば、小型で電力消費量の少ないＬＥＤランプが挙げられる。
【００３７】
光源２６は、観察容器１０の光源収容部１４に着脱可能に収容される。図４は本実施形態における光源および光源支持部材の概略構成図である。
【００３８】
図４に示すように、光源２６は観察容器１０の光源収容部１４に収容されるとともに、光源支持部材２８によって観察容器１０の拡径部１３の下面に支持される。観察容器１０の拡径部１３の下面には、支持段部１５が形成されている。
【００３９】
光源支持部材２８は、たとえば、合成樹脂により形成された略Ｈ状の部材である。光源支持部材２８は、光源２６の両側に張り出した一対の支点部２８ａ、支点部２８ａよりも下方へ突き出した一対の脚部２８ｂと、支点部２８ａよりも上方へ突き出した一対の解除部２８ｃと、からなっている。各脚部２８ｂの先端には、それぞれ内側に臨んで爪部２８ｄが形成されている。爪部２８ｄの内面は、上方へ向けて傾斜している。
【００４０】
観察容器１０の光源収容部１４に光源２６を収容すると、光源支持部材２８の各脚部２８ｂの先端爪部２８ｄが支持段部１５に係合するようになっている。一方、光源支持部材２８の解除部２８ｃを指で挟めば、各脚部２８ｂの先端爪部２８ｄが解除されて、観察容器１０の光源収容部１４から光源２６を取り外すことができる。なお、光源２６への給電構成については、後述する。
【００４１】
観察容器１０は、図２に示す直視用観察容器１０ａと、側視用観察容器１０ｂとからなっている。直視用観察容器１０ａを使用する場合、スコープ２０は、当該観察容器１０ａの底部１１を透して、間接的に患者の体内患部組織を直視観察する。
【００４２】
図３に示すように、側視用観察容器１０ｂは、当該観察容器１０ｂの底部１１の下部に、当該底部１１に臨むように傾斜した反射部１６が設けられている。反射部１６は、光を透過せず、鏡や鏡面仕上げされたステンレス鋼板等の光反射性を有する部材で形成する。本実施形態の反射部１６は、たとえば、底部１１から数ｍｍ離れた部位から９０〜１３０度位の上向の傾斜角度で設定されているが、傾斜角度は限定されない。
【００４３】
側視用観察容器１０ｂを使用する場合、スコープ２０は、当該観察容器１０ｂの底部１１および反射部１６を介して、間接的に患者の体内患部を側面から観察する。
【００４４】
イメージファイバー２２は軟弾性合成樹脂により形成されているので、観察容器１０ａ，１０ｂを体内で傾斜させることにより、様々な角度で観察することができる。
【００４５】
次に、図１および図５を参照して、観察容器１０内へのスコープ２０の挿入固定の構造について説明する。図５は本実施形態における装着パッキングの概略斜視図である。
【００４６】
図１および図５に示すように、スコープ２０先端部には、対物レンズ２１が設けられている。当該対物レンズ２１を有する先端側のイメージファイバースコープやレンズで構成されたスコープ２２の周囲には、筒体状のパッキング４０が装着される。
【００４７】
パッキン４０の外観は、略載頭円錐状を呈している。すなわち、パッキン４０の先端側には挿入傾斜部４１が形成され、当該挿入傾斜部４１の後部には把持部４２が形成されている。パッキン４０の材質としては、たとえば、シリコンゴム等の合成ゴム材が挙げられるが、例示した材質に限定されない。
【００４８】
イメージファイバースコープやレンズで構成されたスコープ２２に装着したパッキング４０の挿入傾斜部４１を観察容器１０の拡径部１３の傾斜した内径部１８（図２（ａ）および図３（ａ）参照）に挿入することにより、観察容器１０内へのスコープ２０を挿入固定することができる。
【００４９】
次に、図１および図６を参照して、スコープ２０、画像処理装置３０および光源２６の電源供給について説明する。図６は本実施形態におけるスコープおよび画像処理装置の概略斜視図である。
【００５０】
図１および図６に示すように、スコープ２０は、観察容器１０の底部１１を透して、患者の体内患部の状況を撮像する装置である。スコープ２０は、前述したように、観察容器１０内へ挿入固定される。
【００５１】
スコープ２０の先端部には、対物レンズ２１が設けられている。スコープ２０のイメージファイバー２２は、たとえば、光ファイバーなどの光伝達部材であり、可撓性を有している。
【００５２】
ファイバースコープ２０は、映像信号処理部２３を介して、ＵＳＢコネクタ２４を末端に有するＵＳＢケーブル２５と接続されている。映像信号処理部２３には、不図示の画像出力回路が備えられている。
【００５３】
映像信号処理部２３には、ＬＥＤランプ等の光源２６の給電ケーブル２７が電気的に接続されている。光源２６の電源は、ＵＳＢケーブル２５および映像信号処理部２３を介して、画像処理装置（ＰＣ）３０のＵＳＢ端子３２から給電される。ＬＥＤランプは電力消費量が少なく、ＰＣからの給電に適している。ＬＥＤランプを数多く設ける場合は、ＰＣ３０からの給電だけでは電力不足となるから、バッテリー電源を別置きにするとよい。
【００５４】
画像処理装置３０は、スコープ２０の対物レンズ２１で収集した情報を処理して映像を表示する装置である。画像処理装置３０としては、たとえば、液晶表示パネル等のモニター３１を備えたパーソナルコンピュータ（ＰＣ）を用いる。ＵＳＢケーブル２５のＵＳＢコネクタ２４は、ＰＣ３０のＵＳＢ端子３２に接続される。画像処理装置３０は、画像を記憶、再生、解析する機能をもつこともできる。
【００５５】
次に、本実施形態における窄孔メスについて説明する。図７は本実施形態における窄孔メスの概略斜視図である。
【００５６】
図７に示すように、本実施形態に係るパイプ内視鏡１００には、体内への当該パイプ内視鏡１００の挿入に際して、腹壁等の体壁を窄孔するための窄孔メス５０が備えられている。窄孔メス５０は、先端部に尖った窄孔部５１を有する丸棒状の部材である。窄孔メス５０の材質としては、たとえば、硬質ガラスが挙げられるが、例示した材質に限定されない。
【００５７】
窄孔メス５０の上端部には、当該窄孔メス５０の持ち手となる把持部５２が形成されている。窄孔部５１と把持部５２の間の胴部５３には、窄孔深さを表示する目盛り５４が付されている。胴部５３に目盛り５４が付されているので、施術者は目盛り５４を目安として、適切な深さで窄孔することができる。
【００５８】
窄孔メス５０の形成した窄孔内に観察容器１０を挿入するので、窄孔メス５０の外径Ｍは観察容器１０の外径Ｄ（図１参照）よりも大きく設定される。
【００５９】
［パイプ内視鏡の動作］
次に、図１から図９を参照して、本実施形態に係るパイプ内視鏡１００の動作について説明する。図７は本実施形態における窄孔メスの概略斜視図である。図８は本実施形態に係るパイプ内視鏡において、直視用観察容器の使用例の概略図である。図９は本実施形態に係るパイプ内視鏡において、側視用観察容器の使用例の概略図である。
【００６０】
本実施形態に係るパイプ内視鏡１００は、患者の体内患部の状況を目視検査するために使用する。
【００６１】
図５に示すように、まず、イメージファイバースコープやレンズで構成されたスコープ２２の先端側周囲に、パッキング４０が装着される。次に、図１から図３に示すように、スコープ２０の先端側が観察容器１０に挿入される。観察容器１０の拡径部１３の内径部１８は基端部へ向けて順次拡径されているので、スコープ２０の先端を観察容器１０内へと案内しやすくなっている。スコープ２０の先端側２１は、パッキング４０を用いて、観察容器１０に挿入固定される。
【００６２】
スコープ２０の先端部には、対物レンズ２１が設けられている。したがって、観察容器１０内にスコープ２０を装着すると、当該観察容器１０の底部１１へ向けて対物レンズ２１が臨むことになる。
【００６３】
次に、図１および図４に示すように、観察容器１０の光源収容部１４に光源２６が収容されるとともに、観察容器１０の支持段部１５に光源支持部材２８の脚部２８ｂの爪部２８ｄが支持される。
【００６４】
図２および図３に示すように、本実施形態の観察容器１０には、直視用観察容器１０ａと側視用観察容器１０ｂとがある。
【００６５】
図８は、本実施形態に係るパイプ内視鏡１００の直視用観察容器１０ａを用いて、目視で歯根診断をする状況を示している。図８に示す歯根診断に際して、患者に麻酔を施し、図７に示す窄孔メス５０や他のメスを用いて観察対象となる歯６０の歯根６１の側面の歯肉６３を窄孔する。
【００６６】
本実施形態の窄孔メス５０を用いる場合には、当該窄孔メス５０の胴部５３に付されている目盛り５４を目安として容易に窄孔深さを知ることができる。また窄孔メス５０の外径Ｍは直視用観察容器１０ａの外径Ｄよりも大きく設定されているので、観察容器１０の外径Ｄよりも大きな窄孔を容易に形成することができる（図１および図７参照）。
【００６７】
窄孔メス５０で形成した窄孔内に直視用観察容器１０ａの先端を挿入して、歯根診断が開始される。スコープ２０の対物レンズ２１は、直視用観察容器１０ａの底部１１を介して患者の体内患部の状況を撮影して情報収集する。
【００６８】
直視用観察容器１０ａの光源収容部１４には、光源２６としてのＬＥＤランプが収容されている（図１参照）。ＬＥＤランプの光は直視用観察容器１０ａの側壁に沿って誘導され、底部１１から照射される。スコープ２０は、歯根６１に充分な光量を与えて、歯根６１の状況を情報収集することができる。
【００６９】
対物レンズ２１の映像信号は、映像信号処理部２３で信号変換され、ＵＳＢケーブル２５を介して画像処理装置３０へと入力される（図６参照）。画像処理装置３０は、デジタル映像信号を処理して、たとえば、歯根６１を５〜１０倍の倍率で拡大表示する。映像を拡大表示するので、歯根６１を鮮明に目視することができるが、例示した倍率に限定されない。
【００７０】
また図９は、本実施形態に係るパイプ内視鏡１００の側視用観察容器１０ｂを用いて、肝細胞の腫瘍診断する状況を示している。図９に示す肝細胞の腫瘍診断に際して、患者に麻酔を施し、図７に示す窄孔メス５０や他のメスを用いて腹壁７０の肝臓位置に相当する部位を窄孔する。
【００７１】
上述したように、本実施形態の窄孔メス５０を用いる場合には、容易に窄孔深さを知ることができ、観察容器１０の外径Ｄよりも大きな窄孔を容易に形成することができる（図１および図７参照）。
【００７２】
窄孔メス５０で形成した窄孔内に側視用観察容器１０ｂの先端を挿入して、肝細胞の腫瘍診断が開始される。
【００７３】
上述したように、スコープ２０は、側視用観察容器１０ｂ内に装着され、当該側視用観察容器１０ｂの底部１１へ向けて対物レンズ２１が臨んでいる。側視用観察容器１０ｂの下部には、当該側視用観察容器１０ｂの底部１１へ臨んで傾斜した反射部１６が設けられている。スコープ２０の対物レンズ２１は、側視用観察容器１０ｂの底部１１および反射部１６を介して患者の体内患部組織を側面から撮影して情報収集する。
【００７４】
その際、ＬＥＤランプの光が側視用観察容器１０ｂの底部１１から照射され、反射部１６により反射される（図１および図３参照）。したがって、スコープ２０は、肝臓７１の診断部位に充分な光量を与えて、肝細胞の状況を情報収集する。
【００７５】
また、側視用観察容器１０ｂを傾けることにより、スコープ２０で様々な方向から体内組織を観察することができる。側視用観察容器１０ｂを周方向に回転させれば、肝臓７１の周辺状況をも観察することが可能である。
【００７６】
本実施形態に係るパイプ内視鏡１００によれば、直視用観察容器１０ａと側視用観察容器１０ｂとを使い分けることにより、スコープ２０で患者の体内患部の状況を様々な方向から観察することが可能である。その際、ＬＥＤランプの光が体内患部を照らすので、スコープ２０は体内に充分な光量を与えて、患部の状況を情報収集する。
【００７７】
ＬＥＤランプは、光源収容部１４に着脱可能に収容されている。光源支持部材２８の解除部２８ｃを指で挟めば、各脚部２８ｂの先端爪部２８ｄが解除され（図４参照）、ＬＥＤランプを光源収容部１４から容易に抜き出すことができる。したがって、観察容器１０のみを使い捨てとすることができる。
【００７８】
本実施形態に係るパイプ内視鏡１００は、観察容器１０を介して患者の体内患部へスコープ２０を導入する。スコープ２０は、間接的に患者の体内患部の情報を収集し、体内患部の環境に直接触れることがない。よって、観察容器１０を１回の検査毎の使い捨てにすれば、滅菌処理が不要なパイプ内視鏡１００を実現することができる。スコープ２０は、施術の度に滅菌作業をする必要がないので、施術時間が短縮され、施術費用も低減される。
【００７９】
また、観察容器１０の底部１１よりも先端側には短管状の突出部１２が設けられているので、底部１１が体内環境によって汚染されず、良好な透光性を維持することができる。さらに、突出部１２の先端には曲率加工Ｒが施されているので、患者の体内へと挿入しやすく、かつ患者の臓器等を傷つけることがない。
【００８０】
そして、本実施形態に係るパイプ内視鏡１００のうち、患者の体内へと挿入されるのは観察容器１０およびスコープ２０の先端側だけであるので、患者の苦痛を最小限に抑えることができる。
【００８１】
加えて、本実施形態に係るパイプ内視鏡１００は、ＬＥＤランプを備え、装置構成が簡単であるので、設備費用の軽減や、操作が容易なので検査時間の短縮により費用の効果が期待できる。
【００８２】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【符号の説明】
【００８３】
１０    観察容器、
１１    底部、
１３    拡径部、
１６    反射部、
１８    内径部、
２０    スコープ、
２１    対物レンズ、
２２    イメージファイバースコープやレンズで構成されたスコープの誘導部、
２６    光源、
３０    画像処理装置、
５０    窄孔メス、
１００    パイプ内視鏡、
Ｒ    曲率加工。
【図１】
2014012043.tif 000003
【図２】
2014012043.tif 000004
【図３】
2014012043.tif 000005
【図４】
2014012043.tif 000006
【図５】
2014012043.tif 000007
【図６】
2014012043.tif 000008
【図７】
2014012043.tif 000009
【図８】
2014012043.tif 000010
【図９】
2014012043.tif 000011